(57)【要約】      （修正有）【課題】フリーラジカル（活性酸素）の中和及び抗酸化作用により、各種の病状（ガンの症状や糖尿病など）を改善可能な水素分子養身活性化水を生成する水素分子養身活性化水装置を提供する。【解決手段】水素分子養身活性化水装置は、エナジーストーン２０２及び水素分子鉱石ユニット２０３が内蔵された還元水生成器２０、並びに、亜鉛添着ポリプロピレン活性炭布３０２及び中空糸膜３０３が内蔵されたろ過フィルター処理器３０を備える。この構成により、飲用水が還元水生成器２０及びろ過フィルター処理器３０に進入すると、ろ過浄化作用により、弱アルカリ性、クラスターの小さい水、ＯＲＰマイナス電位及び高溶合水素分子が生成され、さらに、細菌ウイルスがろ過、除去された健康飲用水となる。この水を飲用することで、容易に体内に吸収されて、ガンの症状、糖尿病、高コレステロール症、高血圧症及び腎臓等を改善する効果がある。【選択図】図１
0003215349.tif 000002
【実用新案登録請求の範囲】
【請求項１】
フリーラジカル（活性酸素）の中和及び抗酸化作用により、ガンの症状、糖尿病、高コレステロール症状、高血圧及び腎臓病を改善する水素分子養身活性化水装置であって、
当該水素分子養身活性化水装置は、ベースに還元水生成器及びろ過フィルター処理器が設置されており、
前記還元水生成器には第一収納体が設置され、前記第一収納体の一端には第一入水口が設置されて飲用水の進入に供され、前記第一収納体にはさらに第二出水口が設置されて水の引出に供されており、
前記ろ過フィルター処理器は、前記還元水生成器に隣接して設置されて、第二収納体が設置され、前記第二収納体の一端には第二入水口が設置されて前記還元水生成器の前記第二出水口に接続され、前記第二収納体内には、亜鉛添着ポリプロピレン活性炭布及び中空糸膜が内蔵され、前記第二収納体内には、第二出水道が設置され、前記第二出水道は中空糸膜に接続され、前記中空糸膜には引出口が設置されて外に通じている、
ことを特徴とするフリーラジカル（活性酸素）の中和及び抗酸化作用により、ガンの症状、糖尿病、高コレステロール症状、高血圧及び腎臓病を改善する水素分子養身活性化水装置。
【請求項２】
前記ろ過フィルター処理器の前記第二出水道には、第三出水口が設置され、前記第三出水口は、前記第二入水口に相対する他端に位置する、
ことを特徴とする請求項１に記載のフリーラジカル（活性酸素）の中和及び抗酸化作用により、ガンの症状、糖尿病、高コレステロール症状、高血圧及び腎臓病を改善する水素分子養身活性化水装置。
【請求項３】
前記ろ過フィルター処理器の中空糸膜は、０．１ミクロン以下のろ過口径を有する、
ことを特徴とする請求項１に記載のフリーラジカル（活性酸素）の中和及び抗酸化作用により、ガンの症状、糖尿病、高コレステロール症状、高血圧及び腎臓病を改善する水素分子養身活性化水装置。
【請求項４】
前記還元水生成器の前記第一収納体には、混合されたエナジーストーン及び水素分子鉱石ユニットが内蔵されている、
ことを特徴とする請求項１に記載のフリーラジカル（活性酸素）の中和及び抗酸化作用により、ガンの症状、糖尿病、高コレステロール症状、高血圧及び腎臓病を改善する水素分子養身活性化水装置。
【請求項５】
前記還元水生成器の前記第一収納体には、第一出水道が設置され、前記第一出水道には、第一出水口及び第二出水口が設置され、前記第一出水口は、前記第一収納体内に設置されると共に前記第一入水口に相対する他端に位置し、前記第二出水口は、第一出水道の水が引出されるのに供されると共に前記ろ過フィルター処理器に接続されている、
ことを特徴とする請求項１に記載のフリーラジカル（活性酸素）の中和及び抗酸化作用により、ガンの症状、糖尿病、高コレステロール症状、高血圧及び腎臓病を改善する水素分子養身活性化水装置。
【請求項６】
前記還元水生成器に内蔵された水素分子鉱石ユニットは、マグネシウム鉱石と粒状活性炭とを混合して組成されている、
ことを特徴とする請求項４に記載のフリーラジカル（活性酸素）の中和及び抗酸化作用により、ガンの症状、糖尿病、高コレステロール症状、高血圧及び腎臓病を改善する水素分子養身活性化水装置。
【請求項７】
前記還元水生成器に内蔵されたエナジーストーンは、遠赤外線鉱石及び陶土を高温で焼成した焼成物である、
ことを特徴とする請求項４に記載のフリーラジカル（活性酸素）の中和及び抗酸化作用により、ガンの症状、糖尿病、高コレステロール症状、高血圧及び腎臓病を改善する水素分子養身活性化水装置。
【考案の詳細な説明】
【技術分野】
【０００１】
本考案は、フリーラジカル（活性酸素）の中和及び抗酸化作用により、ガンの症状、糖尿病、高コレステロール症状、高血圧、腎臓病を改善する水素分子養身活性化水装置（水素分子養身活性化水の生成装置）に関し、特に、設置、操作が簡単で、使用上簡単、便利であることで、飲用水を処理して、弱アルカリ性、小クラスター、ＯＲＰマイナスイオン、高溶合水素分子の特性を有すると同時に、細菌やウイルスをろ過除去した健康飲用水を生成することにより、これを飲用することにより、ガンの症状、糖尿病、高コレステロール症状、高血圧、腎臓病等を改善する効果を有して、実用的且つ理想的、進歩性を有する水素分子養身活性化水装置に関する。
【背景技術】
【０００２】
水は生命の源である。しかしながら、工商業の高度な発展に伴い、水の汚染は日ごとにその度を増している。例えば、各種重金属、工業廃棄物、農薬、科学製剤、牧畜廃棄物等が水に及ぼす汚染は、人類が生命を維持するための各種農、漁、牧畜業製品全てを汚染するだけでなく、ひいては、人類の健康に危害を及ぼすことになる。特に、飲用水が直接汚染されると、これを長期に飲用した場合、慢性的な中毒のように、知らず知らずのうちに、病源となる老廃物や毒素が体内に蓄積されて、高血圧、ガン、糖尿病、高コレステロール、腎臟病といった疾病を発生させることになる。
【０００３】
各種資料文献にも記されているように、現在、世界中には多くの長寿村が存在する。世界保健機構（Ｗ．Ｈ．Ｏ）の長期間にわたる研究によると、これらの長寿村で使用されている水は、衛生的で汚染がなく、さらに、ややアルカリ性でクラスターの小さいカルシウムイオン活性水であることがわかっている。同時に、適量の酸素量を含み、浸透圧、溶解力、導熱及び導電性がいずれも極めて良好であると言う。前記の長寿村の水質が生まれた理由を探ってみると、主に、雨水が高山を経て、土壌から鉱脈に進入した後、原水が重なる層の岩石や鉱脈によって交換及びろ過されて、水にエナジーや多種のイオン鉱物質、微量元素が注入されて、活性化エナジー水になるからであると言われている。
【０００４】
しかしながら、現在一般に飲用されている水道水や地下水の水質は、前述のような人体に有益な活性化エナジー水ではない。例えば、以下のような問題が指摘されている。
（１）  水道水の水源は、ほとんどが工業、農業、牧畜業によって汚染されていて、水中には往々にして各種の重金属、残留農薬、化合物及び有毒物質が含まれている。浄水場では、水質が濁らず透明にするために、通常ポリ塩化アルミニウムが加えられて水質の透明度を保ち、塩素により殺菌を行なう。しかしながら、これらの化合物は加熱されると、摂氏６０度以上でトリハロメタンが形成され、発ガン物質が発生して、水のクラスターが大きい「死んだ水」となり、体の新陳代謝機能に影響を与える。
【０００５】
（２）  地下水の水源は、その来源が不明であり、使用の際のリスクが高い。特に、ある種の化合物、重金属及び農薬によって発生する毒素は、高温煮沸方式で除去することができないため、飲用後人体に蓄積されたり、病源となったりする可能性が極めて高く、慢性疾患を引き起こすリスクも高い。
【０００６】
当然、現在一般には、各種の水ろ過設備が使用されていて、原水をろ過浄化した後、飲用に適した清潔な水を提供することが可能である。しかしながら、一般の水をろ過する設備は、原水に対して水中の雑物や水中の浮遊物及び水中の塩素や異臭を発する物質を除去する等の作用を有するものの、水中に含まれる毒素や細菌ウイルスに対しては、確実にろ過して除去することはできない。特に、人体に有益な微アルカリ性、クラスターの非常に小さい水、微量元素等を含む活性化エナジー水は、提供できない。すなわち、水素水を製造する方式から言えば、従来の技術は大きく二つに分けられる。一つは、水素生成法で、主に水素を水中に注入して製造する方法であるが、この方法は水素を製造するコストが高い上、水素分子が水分子と結合しにくいという欠点がある。もう一つは、電解生成法である。これは、電極板の導電電解によって生成するものであるが、これも電解の過程が長い上、水素分子が水分子と結合しにくいという欠点がある。特に、電解時、水中に含まれる人体に有害な元素が電解されることで、その有害元素が大量に増加して、人体の健康に害を及ぼすことが考えられる。
【先行技術文献】
【特許文献】
【０００７】
【特許文献１】（特になし）
【考案の概要】
【考案が解決しようとする課題】
【０００８】
従って本考案は、前述の従来の技術に存在する欠点を解決することを課題とする。
【課題を解決するための手段】
【０００９】
前記課題を解決するために、本考案は、従来の課題を改善すると同時に、ろ過の過程を経た飲用水を還元水生成器及びろ過フィルター処理器に通すことで、弱アルカリ性、クラスターの小さい水、ＯＲＰマイナス電位及び高溶合水素分子が生成され、さらに、細菌ウイルスがろ過、除去された健康飲用水となり、これを飲用することで、容易に体内に吸収されて、ガンの症状、糖尿病、高コレステロール症、高血圧症及び腎臓等を改善する効果を有する、フリーラジカル（活性酸素）を中和し、抗酸化作用によりガンの症状、糖尿病、高コレステロール症状、高血圧、腎臓病を改善する水素分子養身活性化水装置を提供することを目的とする。
【００１０】
上記目的を達成するために、本考案の活性化水装置は、エナジーストーンと水素分子鉱石のユニットが内蔵された還元水生成器及び亜鉛添着ポリプロピレン活性炭布と中空糸膜が内蔵されたろ過フィルター処理器を備える。この構成により、飲用水が還元水生成器及びろ過フィルター処理器に進入すると、弱アルカリ性、クラスターの小さい水、ＯＲＰマイナス電位、高溶合水素分子、及び、細菌ウイルスがろ過、除去された健康飲用水が製造されて、人体がこのエナジーマイナス電位を含む水素分子活性水を飲用することにより、容易に体内に吸収されて、フリーラジカル（活性酸素）を中和し、抗酸化作用によりガンの症状、糖尿病、高コレステロール症状、高血圧および腎臓病を改善することを特徴とする。
【考案の効果】
【００１１】
本考案のフリーラジカル（活性酸素）の中和及び抗酸化作用により、ガンの症状、糖尿病、高コレステロール症状、高血圧および腎臓病を改善する水素分子養身活性化水装置は、弱アルカリ性、小クラスター、ＯＲＰマイナスイオン、高溶合水素分子の特性を有すると同時に、細菌やウイルスをろ過除去した健康飲用水を生成することができる。よって、これを飲用することにより、ガンの症状、糖尿病、高コレステロール症状、高血圧、腎臓病等を改善する効果を有する。
【図面の簡単な説明】
【００１２】
【図１】本考案の実施例における正面図である。
【考案を実施するための形態】
【００１３】
図１を参照しながら、本考案のフリーラジカル（活性酸素）を中和し、抗酸化作用によりガンの症状、糖尿病、高コレステロール症状、高血圧、腎臓病を改善する水素分子養身活性化水装置について説明する。本考案の水素分子養身活性化水装置は、主に、ベース１０に還元水生成器２０及びろ過フィルター処理器３０が設置される。
【００１４】
前記還元水生成器２０には、第一収納体２０１が設置され、前記第一収納体２０１の一端には第一入水口２０１１が設置される。前記第一入水口２０１１は、ろ過、浄化された後の飲用水が進入するのに用いられる。第一収納体２０１内には、混合されたエナジーストーン２０２と水素分子鉱石ユニット２０３が内蔵されて、進入した清潔な浄水の水質を還元して、クラスターの小さい、弱アルカリ性で、高マイナス電位（ＯＲＰ−５００〜−８００ｍＶ）、及び高溶合水素分子（水素容量１０００ＰＰｂ以上）のエナジーマイナス電位水素分子水を生成する。第一収納体２０１内には、第一出水道２０４が設置されて外に連通し、前記第一出水道２０４には第一出水口２０４１と第二出水口２０４２が設置される。このうち、前記第一出水口２０４１は、第一収納体２０１内に設置されて、第一入水口２０１１に相対する他端に位置することで、第一入水口２０１１を経て進入した飲用水が、充分にエナジーストーン２０２と水素分子鉱石ユニット２０３との接触を経た後、さらに、第一出水道２０４の第二出水口２０４２から引出される。また、前記水素分子鉱石ユニット２０３は、マグネシウム鉱石２０３１と粒状活性炭２０３２が共に混合して組成されることで、マグネシウム鉱石２０３１を水と接触させて、発生した水素と水酸化マグネシウム及びエナジーストーン２０２の粉粒が、粒状活性炭２０３２の周面に充分に吸い付けられて留まる。
【００１５】
前記ろ過フィルター処理器３０は、還元水生成器２０に隣接し、第二収納体３０１が設置され、第二収納体３０１の一端には、第二入水口３０１１が設置される。前記第二入水口３０１１は、還元水生成器２０の第二出水口２０４２と相通じることで、還元水生成器２０が処理した後のエナジーマイナス電位水素分子活性水を進入させる。第二収納体３０１内には、亜鉛添着ポリプロピレン活性炭布３０２及び中空糸膜３０３が設置されている。前記亜鉛添着ポリプロピレン活性炭布３０２は、進入した水に対して、水中の雑物質及び水中の塩素、異臭等の汚染物質を吸着させてろ過作用を行なうことで、細菌の繁殖を抑制する効果を達成する。また、前記中空糸膜３０３は、０．１ミクロン以下のろ過口径を有して、効果的に亜鉛添着ポリプロピレン活性炭布３０２を経た水に対して、細菌やウイルスのろ過、除去作用を行なう。第二収納体３０１内には、第二出水道３０４が設置され、前記第二出水道３０４には第三出水口３０４１が設置され、第二入水口３０１１に相対する他端に位置することで、第二入水口３０１１を経て進入した水が、充分に亜鉛添着ポリプロピレン活性炭布３０２のろ過を経た後、さらに、第三出水口３０４１に進入する。前記第二出水道３０４は、中空糸膜３０３に接続していることで、亜鉛添着ポリプロピレン活性炭布３０２によってろ過された水が、スムーズに中空糸膜３０３に進入して細菌やウイルスをろ過、除去した後、さらに、引出口３０３１から引出されて使用される。
【００１６】
前記還元水生成器２０内のエナジーストーン２０２は、遠赤外線鉱石と陶土を摂氏１２６０度の高温で焼成したもので、波長が４μｍ〜１４μｍで、共振周波数が３０００００回／秒の遠赤外線を放出する。前記遠赤外線特有の波長と共振周波数は、瞬時に水の分子構造を改善して、分子の回転を促し、水素結合の共振に対して、水のクラスターを瞬間に微分子化すると同時に、水分子の配列を均一化して、安定した共振磁場を提供して水分子と水素分子を充分溶合させることで、安定且つ長時間の高い水素可溶率を達成する。すなわち、前記第一収納体２０１に進入した飲用水が、エナジーストーン２０２の作用を受けた後、水のクラスターが瞬時に微分子化され、且つ、水分子の配列を均一化することにより、安定した共振磁場を提供して、水分子と水素分子を充分に融合させて、安定且つ長時間の高い水素可溶率を達成することにより、飲用後吸収しやすいという効果を有する。
【００１７】
前記還元水生成器２０内の水素分子鉱石ユニット２０３は、マグネシウム鉱石２０３１と粒状活性炭２０３２が混合して構成される。このうち、前記マグネシウム鉱石２０３１は水と接触した後、自然に変化して水素と還元電位を発生させる。特に、エナジーストーン２０２の作用を経た後の共振小分子水と接触すると、さらに、大量の水素分子を発生させて、高マイナス電位（ＯＲＰ−５００〜−８００ｍＶ）及び高い水素溶度（水素容量１０００〜１６００ＰＰｂ）の小分子水となる。さらに、前記粒状活性炭２０３２は、マグネシウム鉱石２０３１が放出した水素及び水酸化マグネシウム並びにエナジーストーン２０２の粉粒を充分にその周面に吸着させて留めることで、水流に伴って急速に流出せず、エナジーの蓄積効果を達成する。
【００１８】
前記ろ過フィルター処理器３０の中空糸膜３０３は、さらに、還元水生成器２０のマグネシウム鉱石２０３１に対して、水に出逢うと発生する水酸化マグネシウムの微粒子をろ過することで、引出された水の安全性を確実なものにする。
【００１９】
このように、上述の構成による本考案は、還元水生成器２０の第一収納体２０１内に、エナジーストーン２０２及び水素分子鉱石ユニット２０３が収納されて分布され、且つ、第一収納体２０１内の第一出水道２０４もまた、第一出水口２０４１が、第一入水口２０１１に相対する他端に設置されて、飲用水が第一入水口２０１１から第一収納体２０１に進入した後、自然に充分なエナジーストーン２０２及び水素分子鉱石ユニット２０３の作用を経て、さらに、第一出水道２０４から外に引出される。このうち、前記エナジーストーン２０２は、遠赤外線鉱石と陶土が高温焼成されて製造される。そして、特有の波長（４μｍ〜１４μｍ）と共振周波数（３０００００回／秒）の遠赤外線を放出し、前記遠赤外線は、瞬時に水の分子構造を改善して、分子の回転を促し、水素結合の共振を定着させることで、水のクラスターを瞬時に微分子化すると同時に、水分子の配列を均一化させて、安定した共振磁場を提供して、水分子と水素分子を充分に溶合させることで、安定且つ長時間の高い水素溶率を達成する。飲用水は、第一収納体２０１がエナジーストーン２０２の充分な作用を経た後、人体が吸収しやすい共振小分子水となる。また、前記水素分子鉱石ユニット２０３は、マグネシウム鉱石２０３１と粒状活性炭２０３２を混合させて調製される。前記マグネシウム鉱石２０３１は、エナジーストーン２０２と充分に作用した後の共振小分子水に接触した後、再び大量の水素分子を発生させて、高マイナス電位（ＯＲＰ−５００〜−８００ｍＶ）で高い水素容量（水素容量１０００〜１６００ＰＰｂ）の小分子水となり、前記混合された粒状活性炭２０３２もまたマグネシウム鉱石２０３１に水素と水酸化マグネシウムを放出させ、エナジーストーン２０２の粉粒が充分に周面に吸い付けられて留まり、水流に伴って急速に流出することがなく、前記エナジーストーン２０２及び水素分子鉱石ユニット２０３により放出され、発生されるエナジー量が蓄積効果を達成して、還元水生成器２０の第一出水道２０４から逐一引出される飲用水が、随時還元水の水質に達して、水の分子が極めて小さく、弱アルカリ性で、高マイナス電位（ＯＲＰ）且つ高水素溶合分子のエナジーマイナス電位水素分子水を維持し続けるのである。
【００２０】
さらに、前述の前記形成されたエナジーマイナス電位水素分子水が、ろ過フィルター処理器３０に進入後、前記第二収納体３０１に内蔵された亜鉛添着ポリプロピレン活性炭布３０２により、さらに水中の雑物質や水中の浮遊生物、水中の塩素、異臭等を吸着してろ過、浄化を行なうことにより、細菌の繁殖を抑制する効果を達成し、前記内蔵された中空糸膜３０３もまた０．１ミクロン以下のろ過口径により細菌やウイルス及び水酸化マグネシウムの微粒子をろ過する機能を有する。したがって、前記細菌ウイルスのろ過、除去を経た後のエナジーマイナス電位水素分子活性水を飲用することにより、人体が容易に吸収しやすく、容易に体内に吸収されることで、フリーラジカル（活性酸素）の中和及び抗酸化作用が可能で、これによりガンの症状、糖尿病、高コレステロール症状、高血圧、腎臓病を改善する効果を達成する。
【００２１】
言い換えれば、本考案は少なくとも以下の長所を有する。
【００２２】
１．設置が簡単で、経済性に優れる。
【００２３】
２．操作、使用が簡単且つ便利で、実施が速やかに行なえる。
【００２４】
３．飲用水をグリーンエコ、還元水の水質、水中に豊富な高マイナス電位を含有する、高水素溶合、及び細菌やウイルスをろ過、除去したエナジーマイナス電位水素分子活性水の基準に適合させることにより、飲用後、体内への吸収が容易にして、フリーラジカル（活性酸素）の中和及び抗酸化作用を有することにより身体に有益な効果及び健康にする効果を達成する。
【００２５】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００２６】
１０  ベース
２０  還元水生成器
２０１  第一収納体
２０１１  第一入水口
２０２  エナジーストーン
２０３  水素分子鉱石ユニット
２０３１  マグネシウム鉱石
２０３２  粒状活性炭
２０４  第一出水道
２０４１  第一出水口
２０４２  第二出水口
３０  ろ過フィルター処理器
３０１  第二収納体
３０１１  第二入水口
３０２  亜鉛添着ポリプロピレン活性炭布
３０３  中空糸膜
３０３１  引出口
３０４  第二出水道
３０４１  第三出水口
【図１】
0003215349.tif 000003